(57)【要約】【課題】  使用者自身がベッドマットレスの硬さを調整でき、ベッドマットレスの使用を比較的便利かつ快適にできるベッドマットレスを提供する。【解決手段】  ベッドマットレス１０は多数の独立筒２１、２２、２３を有し、独立筒２１、２２、２３のそれぞれにはふたつの接触面及びひとつの外周面が設けられ、該外周面はそれらふたつの接触面の間において延伸し、独立筒２１、２２、２３のそれぞれはそれらふたつの接触面を貫いている収容槽を有し、それら独立筒２１、２２、２３はそれらの外周面が相互に隣接する方式により一緒に結合される。従って、使用者自身が独立筒２１、２２、２３の配置位置を調整することができ、ベッドマットレス１０の硬さを変えるのに便利である。【選択図】  図１
0003116064.tif 000002
【実用新案登録請求の範囲】
【請求項１】
ベッドマットレスであり、多数の独立筒を有し、独立筒のそれぞれはふたつの接触面及びひとつの外周面を有し、該外周面は該ふたつの接触面の間で延伸し、独立筒のそれぞれは該ふたつの接触面を貫く収容槽を有し、独立筒はそれぞれの外周面が相互に隣接する方式で以って結合され一体となり、人体が横たわることが可能であることを特徴とするベッドマットレス。
【請求項２】
該独立筒のそれぞれの収容槽はひとつの該接触面において第一の開き口を形成し、もうひとつの該接触面において第二の開き口を形成し、該第二の開き口は該第一の開き口より大きいことを特徴とする請求項１記載のベッドマットレス。
【請求項３】
該独立筒のそれぞれの収容槽は概ね円柱状を呈していることを特徴とする請求項１記載のベッドマットレス。
【請求項４】
該独立筒のそれぞれの収容槽は第一の内周面と第二の内周面とを形成し、該第一の内周面はひとつの該接触面より徐々に広がって延伸した状態を呈し、該第二の内周面は徐々に縮まって該第一の内周面からもうひとつの該接触面に向って延伸していることを特徴とする請求項１記載のベッドマットレス。
【請求項５】
該独立筒のそれぞれの収容槽の壁面形状は概ね波状を呈していることを特徴とする請求項１記載のベッドマットレス。
【請求項６】
該独立筒のそれぞれの収容槽内には弾性のあるエアクッションが設けられていることを特徴とする請求項１記載のベッドマットレス。
【請求項７】
少なくともひとつの固定部品を更に有し、該固定部品のそれぞれは該独立筒を連結するのに用いられることを特徴とする請求項１記載のベッドマットレス。
【請求項８】
該独立筒のそれぞれの外周面は位置決め槽を有し、該固定部品は該位置決め槽に埋め込まれていることを特徴とする請求項７記載のベッドマットレス。
【請求項９】
ベッドマットレスに用いられる独立筒であって、該独立筒はふたつの接触面及びひとつの外周面を有し、該外周面は該ふたつの接触面の間において延伸し、独立筒は該ふたつの接触面を貫いている収容槽を有することを特徴とするベッドマットレスの独立筒。
【請求項１０】
該収容槽はひとつの該接触面において第一の開き口を形成し、もうひとつの該接触面において第二の開き口を形成し、該第二の開き口は第一の開き口より大きいことを特徴とする請求項９記載のベッドマットレスの独立筒。
【請求項１１】
該収容槽は概ね円柱状を呈していることを特徴とする請求項９記載のベッドマットレスの独立筒。
【請求項１２】
該独立筒の収容槽は第一の内周面と第二の内周面とを形成し、該第一の内周面はひとつの該接触面より徐々に広がって延伸した状態を呈し、該第二の内周面は徐々に縮まって該第一の内周面からもうひとつの該接触面に向って延伸していることを特徴とする請求項９記載のベッドマットレスの独立筒。
【請求項１３】
該独立筒の該収容槽に対応した壁面形状は概ね波状を呈していることを特徴とする請求項９記載のベッドマットレスの独立筒。
【請求項１４】
該独立筒の収容槽内には弾性のあるエアクッションが設けられていることを特徴とする請求項９記載のベッドマットレスの独立筒。
【考案の詳細な説明】
【技術分野】
【０００１】
本発明はベッドマットレスと関連があり、特に使用者自身が硬さを調節できる組み合せ式ベッドマットレスに関する。
【背景技術】
【０００２】
一般的なベッドマットレスは2枚の当て布、2枚の当て布の間のスプリングフレーム、及び外側カバーを含み有し、外側カバーは2枚の当て布、及びスプリングフレーム外周を包み覆い、使用者がベッドマットレスに横たわった際、ベッドマットレスと身体が相互に接する部位が身体の外形或いは変形に伴い、スプリングフレームが十分な支持力を提供し、使用者がベッドマットレスに横たわった際フィットする感覚を生み出す。
【０００３】
しかしながら、上述のベッドマットレスの構造において、ベッドマットレスの硬さは主にスプリングフレームの弾力によって制御され、スプリングフレームは通常僅かに単一の弾力で使用者の身体を支持するだけである。従って、もし使用者が身体の実際の需要に応じベッドマットレスの硬さを変えたい場合、改めて必要に応じた硬さのベッドマットレスを購入しなければならず、これは常に使用者の経済的負担となり、使用上の困惑を増していた。
【考案の開示】
【考案が解決しようとする課題】
【０００４】
従って、本発明の主要な目的は、使用者自身がベッドマットレスの硬さを調整でき、ベッドマットレスの使用を比較的便利かつ快適にするベッドマットレスを提供することにある。
本発明のもうひとつの目的は、同一でない使用者或いは使用目的により、比較的簡便な方法で適合した硬さに変更或いは変換できるベッドマットレスを提供することにある。
【課題を解決するための手段】
【０００５】
前掲の目的を達成するため、本発明の提供する組み合せ式ベッドマットレスは多数の独立筒を有し、独立筒のそれぞれにはふたつの接触面及びひとつの外周面が設けられ、該外周面はそれらふたつの接触面の間において延伸し、独立筒のそれぞれはそれらふたつの接触面を貫いている収容槽を有し、それら独立筒はそれらの外周面が相互に隣接する方式により一緒に結合される。従って、使用者自身が独立筒の配置位置を調整することができ、ベッドマットレスの硬さを変えるのに便利である。
【考案を実施するための最良の形態】
【０００６】
以下、ここに図面を組み合せて若干の比較的優れた実施例を挙げ、以って本発明の構造と効果に対して詳細に説明する。そのうち各図面の簡要な説明は以下の如くとなっている。
図１は本発明の第一の実施例によるベッドマットレスを示す立体組み合せ図である。
図２は本発明の第一の実施例によるベッドマットレスを示す平面図である。
図３は図１における３−３切断線に沿った断面図である。
図４は本発明の第二の実施例による独立筒を示す断面図である。
図５は本発明の第三の実施例によるベッドマットレスを示す立体組み合せ図である。
【０００７】
図１から図３に示すのは、本発明の第一の実施例による組み合せ式ベッドマットレス１０であり、ベッドマットレス１０は多数の第一の独立筒２１、多数の第二の独立筒２２、多数の第三の独立筒２３、及びひとつの固定部品５０を含む。
各独立筒２１〜２３は皆エマルジョン材によって製成された円柱体であり、各独立筒２１〜２３はそれぞれふたつの接触面３１〜３３、及びふたつの接触面３１〜３３の間で延伸した外周面３４〜３６を有し、各独立筒２１〜２３の外周面３４〜３６にはひとつの凹んだ状態の位置決め溝３７〜３９がリング状に設けられている。第一の独立筒２１は第一の収容槽４１を有し、第一の収容槽４１は概ね円柱状を呈し各接触面３１中央を貫通しており、第一の独立筒２１は第一の収容槽４１の一端において一方が装飾板５２により覆われており、装飾板５２は模様を有することができ、或いは各独立筒２１〜２３が異なる色の材料で製成されることで、ベッドマットレス１０は比較的美しい外観となる。第二の独立筒２２は第二の収容槽４２を有し、第二の収容槽４２は概ね円錐状を呈し各接触面３２中央を貫通し、かつそれぞれ第一の開き口４４、及び第一の開き口４４より大きい第二の開き口４５を形成する。第三の独立筒２３は第三の収容槽４３を有し、第三の収容槽４３は各接触面３３中央を貫通しており、第三の独立筒２３は相互に連結する第一の内周面４６と第二の内周面４７を形成している。第一の内周面４６はひとつの接触面３３より徐々に広がった状態を呈して延伸し、第二の内周面４７は即ち徐々に縮んでゆく状態を呈し第一の内周面４６からもうひとつの接触面３３に向って延伸している。第一、第二、第三の独立筒２１、２２、２３はそれぞれ同一でない形状の第一、第二、第三の収容槽４１、４２、４３を有しているため、独立筒２１〜２３はそれぞれ同一でない構造強度を有し、本実施例中では、第一の独立筒２１の構造強度は第二及び第三の独立筒２２、２３の構造強度より大きい。
【０００８】
第一、第二、及び第三の独立筒２１、２２、２３はそれぞれの外周面３４〜３６で相互に接し碁盤の目状に並べられ、それら第一、第二、及び第三の独立筒２１、２２、２３は予め定められた配置方式で設置され、且つそれぞれの接触面３１〜３３は互いに平らに揃っている。該固定部品５０は帯状であり、固定部品５０は独立筒２１〜２３を囲むように設けられ、且つ外周の各独立筒２１〜２３の位置決め槽３７〜３９内に埋め込まれており、それら独立筒２１〜２３は固定部品５０により結合され、即ち全体に長方形のベッドマットレス１０を形成する。
【０００９】
上述の構造により、図３に示す如く、ベッドマットレス１０の長辺には三つの第二の独立筒２２、三つの第三の独立筒２３、及び四つの第二の独立筒２２を設置することができ、使用者が独立筒２１〜２３のそれぞれの接触面３１〜３３に横たわった際、独立筒２１〜２３のそれぞれが有する同一でない構造強度により、ベッドマットレス１０は多種の硬さの異なる場所を有し、使用者の体重の生み出す圧力を受け止めるのに用いられる。例えば強度の比較的大きい第一の独立筒２１は体の脚部と接するのに用いられ、強度の比較的小さい第二或いは第三の独立筒２２、２３は体の頭、頸部、或いは臀部と接するのに用いられる。
【００１０】
もし、使用者がベッドマットレス１０を一定の期間使用した後、ベッドマットレス１０の硬さを変えたかったり、或いは身体を横たえたときの快適感を高めたいなら、使用者はただ第一の独立筒２１、第二の独立筒２２、及び第三の独立筒２３の設置位置を変更する、或いは独立筒２１〜２３の数量を増減させることで、ベッドマットレス１０を簡便に使用者の必要な状態に調整することができる。更に、使用者がベッドマットレスを購入する際、先に使用者の身体の圧力分布状態を測定し、該圧力分布状態に応じて独立筒２１〜２３のそれぞれを並べ置き、ベッドマットレス１０を使用者個人の需要に応じさせることができる。
【００１１】
従って、同一でない構造強度を有する独立筒を組み合せることを利用することにより、使用者自身がベッドマットレスの硬さの調整と変換をできるという目的に達することができ、ベッドマットレス使用を比較的簡便で快適なものとすることができる。また更に、調整方式も比較的簡便である。
【００１２】
このほか、上述のベッドマットレスの外周には更にベッドカバーを設けても良い。更に、独立筒のそれぞれはその他の形式の構造で代替することもできる。図４に示す如く、本発明の第二の実施例による組み合せ式ベッドマットレスの中の独立筒６０は、その特徴として独立筒６０の収容槽６１が波状を呈した内周面６２を形成しており、尚且つ独立筒６０は収容槽６１内にエアクッション６３を有している。これにより、独立筒６０は自身の構造の有する弾性の他に、エアクッション６３によって独立筒６０の構造変化を増加させることができる。更に図５に示す如く、本発明の第三の実施例による組み合せ式ベッドマットレス７０の特徴は次のとおりである。ベッドマットレス７０の各独立筒７１は皆四角柱体となっており、独立筒７１のそれぞれが相互に配列され、組み合わされてベッドマットレス７０と成り、同様に本発明の目的に到達することができる。
【図面の簡単な説明】
【００１３】
【図１】本発明の第一の実施例によるベッドマットレスを示す立体組み合せ図である。
【図２】本発明の第一の実施例によるベッドマットレスを示す平面図である。
【図３】図１において３−３切断線に沿った断面図である。
【図４】本発明の第二の実施例による独立筒を示す断面図である。
【図５】本発明の第三の実施例によるベッドマットレスを示す立体組み合せ図である。
【符号の説明】
【００１４】
１０  組み合せ式ベッドマットレス、２１  第一の独立筒、２２  第二の独立筒、２３  第三の独立筒、３１〜３３  接触面、３４〜３６  外周面、３７〜３９  位置決め溝、４１  第一の収容槽、４２  第二の収容槽、４３  第三の収容槽、４４  第一の開き口、４５  第二の開き口、４６  第一の内周面、４７  第二の内周面、５０  固定部品、５２  装飾板、６０  独立筒、６１  収容槽、６２  内周面、６３  エアクッション、７０  組み合せ式ベッドマットレス、７１  独立筒
【図１】
0003116064.tif 000003
【図２】
0003116064.tif 000004
【図３】
0003116064.tif 000005
【図４】
0003116064.tif 000006
【図５】
0003116064.tif 000007